(57)【要約】【課題】  読取デバイスによって原稿から読み取られた画像に対して誤った処理が行われる可能性を低減することができる画像形成装置および画像処理プログラムを提供する。【解決手段】  ＭＦＰは、スキャナーによって読み取られた原稿の両面の画像に基づいて原稿の種類を判定する種類判定手段と、スキャナーによって読み取られた画像を、種類判定手段によって判定された種類に応じて処理する画像処理手段と、スキャナーによる読み取り結果を画像処理手段による処理の前に表示部に表示させる結果表示手段とを備え、種類判定手段は、両面のうち情報を含まない面の数と、両面のうち特定の情報を含む面の数との少なくとも１つに基づいて原稿の種類を判定し、結果表示手段は、スキャナーによって画像が読み取られた原稿の枚数と、種類判定手段によって判定された種類とを、領域３０〜５０のように原稿の種類の切り替わりで区別して表示部に表示させることを特徴とする。【選択図】  図４
2016086386.tif 000002
【特許請求の範囲】
【請求項１】
情報を表示する表示デバイスと、
原稿から画像を読み取る読取デバイスと、
前記読取デバイスによって読み取られた原稿の両面の画像に基づいて原稿の種類を判定する種類判定手段と、
前記読取デバイスによって読み取られた画像を、前記種類判定手段によって判定された種類に応じて処理する画像処理手段と、
前記読取デバイスによる読み取り結果を前記画像処理手段による処理の前に前記表示デバイスに表示させる結果表示手段とを備え、
前記種類判定手段は、
両面のうち情報を含まない面の数と、
両面のうち特定の情報を含む面の数との少なくとも１つに基づいて原稿の種類を判定し、
前記結果表示手段は、
前記読取デバイスによって画像が読み取られた原稿の枚数と、
前記種類判定手段によって判定された種類とを、
前記種類判定手段によって判定された種類の切り替わりで区別して前記表示デバイスに表示させることを特徴とする画像形成装置。
【請求項２】
前記結果表示手段は、前記読取デバイスによって原稿から読み取られた画像のプレビューを前記種類判定手段によって判定された種類の切り替わりで区別して前記表示デバイスに表示させることを特徴とする請求項１に記載の画像形成装置。
【請求項３】
前記結果表示手段は、前記種類判定手段が両面のうち情報を含まない面の数に基づいて原稿の種類を判定する場合、両面のうち情報を含まない面の前記プレビューを前記表示デバイスに表示させないことを特徴とする請求項２に記載の画像形成装置。
【請求項４】
前記結果表示手段は、前記種類判定手段が両面のうち前記特定の情報を含む面の数に基づいて原稿の種類を判定する場合、両面のうち前記特定の情報を含む面の前記プレビューを前記表示デバイスに表示させないことを特徴とする請求項２または請求項３に記載の画像形成装置。
【請求項５】
前記種類判定手段によって判定された種類を変更する指示を受け付ける指示受付手段を備え、
前記画像処理手段は、前記種類の変更の指示が前記指示受付手段によって受け付けられた場合に、前記読取デバイスによって読み取られた画像を、前記指示受付手段によって受け付けられた指示に応じた種類に応じて処理することを特徴とする請求項１から請求項４までの何れかに記載の画像形成装置。
【請求項６】
情報を表示する表示デバイスと、
原稿から画像を読み取る読取デバイスとを備える画像形成装置によって実行される画像処理プログラムであって、
前記読取デバイスによって読み取られた原稿の両面の画像に基づいて原稿の種類を判定する種類判定手段、
前記読取デバイスによって読み取られた画像を、前記種類判定手段によって判定された種類に応じて処理する画像処理手段、および、
前記読取デバイスによる読み取り結果を前記画像処理手段による処理の前に前記表示デバイスに表示させる結果表示手段として前記画像形成装置を機能させ、
前記種類判定手段は、
両面のうち情報を含まない面の数と、
両面のうち特定の情報を含む面の数との少なくとも１つに基づいて原稿の種類を判定し、
前記結果表示手段は、
前記読取デバイスによって画像が読み取られた原稿の枚数と、
前記種類判定手段によって判定された種類とを、
前記種類判定手段によって判定された種類の切り替わりで区別して前記表示デバイスに表示させることを特徴とする画像処理プログラム。
【発明の詳細な説明】
【技術分野】
【０００１】
本発明は、読取デバイスによって原稿から読み取られた画像を原稿の種類に応じて処理する画像形成装置および画像処理プログラムに関する。
【背景技術】
【０００２】
従来、読取デバイスによって原稿から読み取られた画像を、判定した原稿の種類に応じて処理する画像形成装置が知られている（例えば、特許文献１参照。）。従来の画像形成装置は、両面のうち片面のみに情報を含む片面原稿と、両面に情報を含む両面原稿とを原稿の種類として区別して判定する。
【先行技術文献】
【特許文献】
【０００３】
【特許文献１】特開平８−１４６８２９号公報
【発明の概要】
【発明が解決しようとする課題】
【０００４】
しかしながら、従来の画像形成装置おいては、原稿の種類が誤判定された場合に、読取デバイスによって原稿から読み取られた画像に対して誤った処理が行われるという問題がある。
【０００５】
そこで、本発明は、読取デバイスによって原稿から読み取られた画像に対して誤った処理が行われる可能性を低減することができる画像形成装置および画像処理プログラムを提供することを目的とする。
【課題を解決するための手段】
【０００６】
本発明の画像形成装置は、情報を表示する表示デバイスと、原稿から画像を読み取る読取デバイスと、前記読取デバイスによって読み取られた原稿の両面の画像に基づいて原稿の種類を判定する種類判定手段と、前記読取デバイスによって読み取られた画像を、前記種類判定手段によって判定された種類に応じて処理する画像処理手段と、前記読取デバイスによる読み取り結果を前記画像処理手段による処理の前に前記表示デバイスに表示させる結果表示手段とを備え、前記種類判定手段は、両面のうち情報を含まない面の数と、両面のうち特定の情報を含む面の数との少なくとも１つに基づいて原稿の種類を判定し、前記結果表示手段は、前記読取デバイスによって画像が読み取られた原稿の枚数と、前記種類判定手段によって判定された種類とを、前記種類判定手段によって判定された種類の切り替わりで区別して前記表示デバイスに表示させることを特徴とする。
【０００７】
この構成により、本発明の画像形成装置は、読取デバイスによって画像が読み取られた原稿の枚数と、読取デバイスによって読み取られた画像に基づいて判定した原稿の種類とを、原稿の種類の切り替わりで区別して表示デバイスに表示させるので、原稿の種類が誤判定されたか否かを利用者に認識させることができる。そして、本発明の画像形成装置は、読取デバイスによって画像が読み取られた原稿の枚数と、読取デバイスによって読み取られた画像に基づいて判定した原稿の種類とを、原稿の種類に応じた画像の処理の前に表示デバイスに表示させるので、読取デバイスによって原稿から読み取られた画像に対して誤った処理が行われる可能性を低減することができる。
【０００８】
また、本発明の画像形成装置において、前記結果表示手段は、前記読取デバイスによって原稿から読み取られた画像のプレビューを前記種類判定手段によって判定された種類の切り替わりで区別して前記表示デバイスに表示させても良い。
【０００９】
この構成により、本発明の画像形成装置は、読取デバイスによって読み取られた画像のプレビューを原稿の種類の切り替わりで区別して表示デバイスに表示させるので、原稿の種類が誤判定されたか否かを利用者に更に明確に認識させることができる。したがって、本発明の画像形成装置は、読取デバイスによって原稿から読み取られた画像に対して誤った処理が行われる可能性を更に低減することができる。
【００１０】
また、本発明の画像形成装置において、前記結果表示手段は、前記種類判定手段が両面のうち情報を含まない面の数に基づいて原稿の種類を判定する場合、両面のうち情報を含まない面の前記プレビューを前記表示デバイスに表示させなくても良い。
【００１１】
この構成により、本発明の画像形成装置は、両面のうち情報を含まない面のプレビューを表示デバイスに表示させないので、利用者によるプレビューの確認を容易化することができる。
【００１２】
また、本発明の画像形成装置において、前記結果表示手段は、前記種類判定手段が両面のうち前記特定の情報を含む面の数に基づいて原稿の種類を判定する場合、両面のうち前記特定の情報を含む面の前記プレビューを前記表示デバイスに表示させなくても良い。
【００１３】
この構成により、本発明の画像形成装置は、両面のうち特定の情報を含む面のプレビューを表示デバイスに表示させないので、利用者によるプレビューの確認を容易化することができる。
【００１４】
また、本発明の画像形成装置は、前記種類判定手段によって判定された種類を変更する指示を受け付ける指示受付手段を備え、前記画像処理手段は、前記種類の変更の指示が前記指示受付手段によって受け付けられた場合に、前記読取デバイスによって読み取られた画像を、前記指示受付手段によって受け付けられた指示に応じた種類に応じて処理しても良い。
【００１５】
この構成により、本発明の画像形成装置は、原稿の種類が誤判定された場合に、読取デバイスによって原稿から読み取られた画像に対して利用者による原稿の種類の訂正に応じた適切な処理を実行することができる。
【００１６】
本発明の画像処理プログラムは、情報を表示する表示デバイスと、原稿から画像を読み取る読取デバイスとを備える画像形成装置によって実行される画像処理プログラムであって、前記読取デバイスによって読み取られた原稿の両面の画像に基づいて原稿の種類を判定する種類判定手段、前記読取デバイスによって読み取られた画像を、前記種類判定手段によって判定された種類に応じて処理する画像処理手段、および、前記読取デバイスによる読み取り結果を前記画像処理手段による処理の前に前記表示デバイスに表示させる結果表示手段として前記画像形成装置を機能させ、前記種類判定手段は、両面のうち情報を含まない面の数と、両面のうち特定の情報を含む面の数との少なくとも１つに基づいて原稿の種類を判定し、前記結果表示手段は、前記読取デバイスによって画像が読み取られた原稿の枚数と、前記種類判定手段によって判定された種類とを、前記種類判定手段によって判定された種類の切り替わりで区別して前記表示デバイスに表示させることを特徴とする。
【００１７】
この構成により、本発明の画像処理プログラムは、読取デバイスによって画像が読み取られた原稿の枚数と、読取デバイスによって読み取られた画像に基づいて判定した原稿の種類とを、原稿の種類の切り替わりで区別して表示デバイスに表示させるので、原稿の種類が誤判定されたか否かを利用者に認識させることができる。そして、本発明の処理プログラムは、読取デバイスによって画像が読み取られた原稿の枚数と、読取デバイスによって読み取られた画像に基づいて判定した原稿の種類とを、原稿の種類に応じた画像の処理の前に表示デバイスに表示させるので、読取デバイスによって原稿から読み取られた画像に対して誤った処理が行われる可能性を低減することができる。
【発明の効果】
【００１８】
本発明の画像形成装置および画像処理プログラムは、読取デバイスによって原稿から読み取られた画像に対して誤った処理が行われる可能性を低減することができる。
【図面の簡単な説明】
【００１９】
【図１】本発明の一実施の形態に係るＭＦＰのブロック図である。
【図２】コピーを実行する場合の図１に示すＭＦＰの動作のフローチャートである。
【図３】図２に示す原稿種類判定処理のフローチャートである。
【図４】図１に示す表示部に表示される読み取り結果表示画面の一例を示す図である。
【図５】図１に示す表示部に表示される読み取り結果表示画面の一例を示す図であって、図４に示す例とは異なる例を示す図である。
【図６】図１に示す表示部に表示される読み取り結果表示画面の一例を示す図であって、図４および図５に示す例とは異なる例を示す図である。
【発明を実施するための形態】
【００２０】
以下、本発明の一実施の形態について、図面を用いて説明する。
【００２１】
まず、本実施の形態に係る画像形成装置としてのＭＦＰ（Ｍｕｌｔｉｆｕｎｃｔｉｏｎ  Ｐｅｒｉｐｈｅｒａｌ）の構成について説明する。
【００２２】
図１は、本実施の形態に係るＭＦＰ１０のブロック図である。
【００２３】
図１に示すように、ＭＦＰ１０は、種々の操作が入力されるボタンなどの入力デバイスである操作部１１と、種々の情報を表示する表示デバイスである表示部１２と、原稿から画像を読み取る読取デバイスであるスキャナー１３と、用紙などの記録媒体に印刷を実行する印刷デバイスであるプリンター１４と、図示していない外部のファクシミリ装置と公衆電話回線などの通信回線経由でファックス通信を行うファックスデバイスであるファックス通信部１５と、ＬＡＮ（Ｌｏｃａｌ  Ａｒｅａ  Ｎｅｔｗｏｒｋ）、インターネットなどのネットワーク経由で外部の装置と通信を行うネットワーク通信デバイスであるネットワーク通信部１６と、各種のデータを記憶しているＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＨＤＤ（Ｈａｒｄ  Ｄｉｓｋ  Ｄｒｉｖｅ）などの記憶デバイスである記憶部１７と、ＭＦＰ１０全体を制御する制御部１８とを備えている。
【００２４】
スキャナー１３は、複数枚の原稿の両面の連続した読み取りを可能にする図示していない原稿自動送り装置（ＡＤＦ：Ａｕｔｏ  Ｄｏｃｕｍｅｎｔ  Ｆｅｅｄｅｒ）を備えている。
【００２５】
記憶部１７は、読取デバイスによって原稿から読み取られた画像を原稿の種類に応じて処理する画像処理プログラム１７ａを記憶している。画像処理プログラム１７ａは、ＭＦＰ１０の製造段階でＭＦＰ１０にインストールされていても良いし、ＳＤカード、ＵＳＢ（Ｕｎｉｖｅｒｓａｌ  Ｓｅｒｉａｌ  Ｂｕｓ）メモリーなどの記憶媒体からＭＦＰ１０に追加でインストールされても良いし、ネットワーク上からＭＦＰ１０に追加でインストールされても良い。
【００２６】
制御部１８は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部１７に記憶されているプログラムを実行する。
【００２７】
制御部１８は、記憶部１７に記憶されている画像処理プログラム１７ａを実行することによって、スキャナー１３によって読み取られた原稿の両面の画像に基づいて原稿の種類を判定する種類判定手段１８ａ、スキャナー１３によって読み取られた画像を、種類判定手段１８ａによって判定された種類に応じて処理する画像処理手段１８ｂ、スキャナー１３による読み取り結果を画像処理手段１８ｂによる処理の前に表示部１２に表示させる結果表示手段１８ｃ、および、種類判定手段１８ａによって判定された種類を変更する指示を受け付ける指示受付手段１８ｄとして機能する。
【００２８】
次に、ＭＦＰ１０の動作について説明する。
【００２９】
スキャナー１３によって原稿から読み取られた画像をプリンター１４によって記録媒体に印刷する「コピー」が利用者から例えば操作部１１を介して指示されると、ＭＦＰ１０の制御部１８は、図２に示す動作を開始する。
【００３０】
図２は、コピーを実行する場合のＭＦＰ１０の動作のフローチャートである。
【００３１】
図２に示すように、種類判定手段１８ａは、複数枚の原稿の両面をスキャナー１３によって連続して読み取らせる（Ｓ１０１）。
【００３２】
次いで、種類判定手段１８ａは、Ｓ１０１においてスキャナー１３に読み取らせた画像に基づいて原稿の種類を判定する図３に示す原稿種類判定処理を実行する（Ｓ１０２）。
【００３３】
図３に示すように、種類判定手段１８ａは、スキャナー１３によって画像を読み取った１枚目の原稿を対象にする（Ｓ１３１）。
【００３４】
次いで、種類判定手段１８ａは、対象の原稿について、両面のうち情報を含まない面の数を判断する（Ｓ１３２）。ここで、情報を含まない面とは、スキャナー１３によって読み取られた画像が、スキャナー１３によって白紙の面が読み取られた場合の画像と同視することが可能である面である。どの程度の画像が「情報を含まない面」の画像であると判断されるかは、設定次第である。
【００３５】
種類判定手段１８ａは、２つの面が情報を含まないとＳ１３２において判断すると、両面に情報を含まない両面不使用原稿、すなわち、両面白紙原稿として、対象の原稿の種類を判定する（Ｓ１３３）。
【００３６】
種類判定手段１８ａは、１つの面のみが情報を含まない、すなわち、対象の原稿が両面のうち片面のみに情報を含む片面使用原稿であるとＳ１３２において判断すると、対象の原稿について、表面および裏面の何れの面が情報を含むかを判断する（Ｓ１３４）。
【００３７】
種類判定手段１８ａは、表面が情報を含む、すなわち、対象の原稿が表面のみに情報を含む表面使用原稿であるとＳ１３４において判断すると、対象の原稿について、表面が特定の情報を含むか否かを判断する（Ｓ１３５）。ここで、特定の情報は、事前に利用者によって登録されることが可能である。どの程度の画像が「特定の情報を含む面」の画像であると判断されるかは、設定次第である。
【００３８】
種類判定手段１８ａは、表面が特定の情報を含まないとＳ１３５において判断すると、対象の原稿の種類を表面通常裏面白紙原稿として判定する（Ｓ１３６）。
【００３９】
種類判定手段１８ａは、表面が特定の情報を含むとＳ１３５において判断すると、対象の原稿の種類を表面裏紙裏面白紙原稿として判定する（Ｓ１３７）。
【００４０】
種類判定手段１８ａは、裏面が情報を含む、すなわち、対象の原稿が裏面のみに情報を含む裏面使用原稿であるとＳ１３４において判断すると、対象の原稿について、裏面が特定の情報を含むか否かを判断する（Ｓ１３８）。
【００４１】
種類判定手段１８ａは、裏面が特定の情報を含まないとＳ１３８において判断すると、対象の原稿の種類を表面白紙裏面通常原稿として判定する（Ｓ１３９）。
【００４２】
種類判定手段１８ａは、裏面が特定の情報を含むとＳ１３８において判断すると、対象の原稿の種類を表面白紙裏面裏紙原稿として判定する（Ｓ１４０）。
【００４３】
種類判定手段１８ａは、情報を含まない面が存在しない、すなわち、対象の原稿が両面に情報を含む両面使用原稿であるとＳ１３２において判断すると、対象の原稿について、両面のうち特定の情報を含む面の数を判断する（Ｓ１４１）。
【００４４】
種類判定手段１８ａは、２つの面が特定の情報を含むとＳ１４１において判断すると、対象の原稿の種類を両面裏紙原稿として判定する（Ｓ１４２）。
【００４５】
種類判定手段１８ａは、１つの面のみが特定の情報を含む、すなわち、対象の原稿が両面のうち片面のみが裏紙である片面裏紙原稿であるとＳ１４１において判断すると、対象の原稿について、表面および裏面の何れの面に特定の情報を含むかを判断する（Ｓ１４３）。
【００４６】
種類判定手段１８ａは、表面に特定の情報を含むとＳ１４３において判断すると、対象の原稿の種類を表面裏紙裏面通常原稿として判定する（Ｓ１４４）。
【００４７】
種類判定手段１８ａは、裏面に特定の情報を含むとＳ１４３において判断すると、対象の原稿の種類を表面通常裏面裏紙原稿として判定する（Ｓ１４５）。
【００４８】
種類判定手段１８ａは、特定の情報を含む面が存在しないとＳ１４１において判断すると、対象の原稿の種類を両面通常原稿として判定する（Ｓ１４６）。
【００４９】
種類判定手段１８ａは、Ｓ１３３、Ｓ１３６、Ｓ１３７、Ｓ１３９、Ｓ１４０、Ｓ１４２、Ｓ１４４、Ｓ１４５またはＳ１４６の処理が終了すると、後続の原稿が存在するか否かを判断する（Ｓ１４７）。
【００５０】
種類判定手段１８ａは、後続の原稿が存在するとＳ１４７において判断すると、次の原稿を新たな対象にして（Ｓ１４８）、Ｓ１３２の処理を実行する。
【００５１】
種類判定手段１８ａは、後続の原稿が存在しないとＳ１４７において判断すると、図３に示す原稿種類判定処理を終了する。
【００５２】
図２に示すように、結果表示手段１８ｃは、Ｓ１０２の原稿種類判定処理が終了すると、スキャナー１３による読み取り結果を示す読み取り結果表示画面を表示部１２に表示させる（Ｓ１０３）。
【００５３】
図４は、表示部１２に表示される読み取り結果表示画面２０の一例を示す図である。
【００５４】
図４に示す読み取り結果表示画面２０は、スキャナー１３による読み取り結果を示す領域３０、４０および５０が左から順に並んで配置されている。領域３０〜５０は、それぞれ、同一の種類の原稿の読み取り結果のみを含んでいる。また、左の領域ほど、スキャナー１３によって先に読み取られた原稿の読み取り結果を含んでいる。すなわち、領域３０は、領域４０と比較して、スキャナー１３によって先に読み取られた原稿の読み取り結果を含んでいる。同様に、領域４０は、領域５０と比較して、スキャナー１３によって先に読み取られた原稿の読み取り結果を含んでいる。
【００５５】
なお、図４においては、領域３０〜５０という３つの領域が含まれている。しかしながら、読み取り結果表示画面２０には、スキャナー１３によって読み取られた原稿の種類の数などの状況に応じて、１つのみの領域が含まれることもあるし、２つの領域が含まれることもあるし、４つ以上の領域が含まれることもある。
【００５６】
領域３０は、原稿の種類を示すテキスト３１と、スキャナー１３によって原稿から読み取られた画像のプレビュー３３と、領域３０に含まれる原稿のうち何枚目の原稿の画像をプレビュー３３が示しているかを示すテキスト３４と、原稿の表面および裏面の何れの画像をプレビュー３３が表示しているかを示すテキスト３５と、領域３０に含まれる原稿の枚数を示すテキスト３６とを含んでいる。
【００５７】
テキスト３１は、図４において、両面通常原稿を示す「両面原稿」を示している。
【００５８】
プレビュー３３は、図４において、２枚の原稿が重なったように描かれている。プレビュー３３は、領域３０に含まれる原稿が複数枚である場合には、領域３０に含まれる原稿が１枚ではないことを示すために２枚が重なったように描かれる。また、プレビュー３３は、領域３０に含まれる原稿が１枚である場合には、１枚だけが描かれる。なお、プレビュー３３は、領域３０に含まれる原稿が３枚以上である場合には、領域３０に含まれる原稿の枚数に応じた枚数が重なったように描かれても良い。また、プレビュー３３は、領域３０に含まれる原稿が複数枚である場合にも、表示中の１枚だけが描かれても良い。
【００５９】
プレビュー３３は、例えば、プレビュー３３に表示中の画像に対する横へのスライド操作など、特定の操作が操作部１１を介して実行されることによって、何枚目の原稿の画像が表示されるかが変更されることが可能である。また、プレビュー３３は、例えば、プレビュー３３に表示中の画像に対する長押し操作など、特定の操作が操作部１１を介して実行されることによって、原稿の表面および裏面の何れの画像が表示されるかが変更されることが可能である。
【００６０】
テキスト３４は、図４において、領域３０に含まれる原稿のうち１枚目の原稿の画像がプレビュー３３において表示されていることを示す「１枚目表示中」を示している。例えば、テキスト３４は、領域３０に含まれる原稿のうち２枚目の原稿の画像がプレビュー３３において表示されている場合には「２枚目表示中」と示される。
【００６１】
テキスト３５は、図４において、原稿の表面の画像がプレビュー３３において表示されていることを示す「表面表示中」を示している。テキスト３５は、原稿の裏面の画像がプレビュー３３において表示されている場合には「裏面表示中」と示される。
【００６２】
テキスト３６は、図４において、領域３０に含まれる原稿が５枚であることを示す「５枚」を示している。例えば、テキスト３６は、領域３０に含まれる原稿が１枚である場合には「１枚」と示される。
【００６３】
領域４０は、原稿の種類を示すテキスト４１およびテキスト４２と、スキャナー１３によって原稿から読み取られた画像のプレビュー４３と、領域４０に含まれる原稿の枚数を示すテキスト４６とを含んでいる。
【００６４】
テキスト４１は、図４において、表面通常裏面白紙原稿および表面白紙裏面通常原稿の何れかであることを示す「片面原稿」を示している。テキスト４２は、裏面が白紙であることを示している。したがって、テキスト４１およびテキスト４２によって、領域４０に読み取り結果が表示されている原稿が表面通常裏面白紙原稿であることが分かる。
【００６５】
プレビュー４３は、プレビュー３３と同様であるので、詳細な説明を省略する。なお、図４において、プレビュー４３は、原稿が表面通常裏面白紙原稿、すなわち、裏面が白紙の原稿であるので、裏面が表示可能にはなっていない。
【００６６】
テキスト４６は、テキスト３６と同様であるので、詳細な説明を省略する。
【００６７】
領域５０は、原稿の種類を示すテキスト５１およびテキスト５２と、スキャナー１３によって原稿から読み取られた画像のプレビュー５３と、領域４０に含まれる原稿のうち何枚目の原稿の画像をプレビュー５３が示しているかを示すテキスト５４と、原稿の表面および裏面の何れの画像をプレビュー５３が表示しているかを示すテキスト５５と、領域５０に含まれる原稿の枚数を示すテキスト５６とを含んでいる。
【００６８】
テキスト５１は、図４において、表面通常裏面裏紙原稿および表面裏紙裏面通常原稿の何れかであることを示す「裏紙使用原稿」を示している。テキスト５２は、裏面が裏紙であることを示している。したがって、テキスト５１およびテキスト５２によって、領域５０に読み取り結果が表示されている原稿が表面通常裏面裏紙原稿であることが分かる。
【００６９】
プレビュー５３およびテキスト５４〜５６は、それぞれ、プレビュー３３およびテキスト３４〜３６と同様であるので、詳細な説明を省略する。
【００７０】
図２に示すように、指示受付手段１８ｄは、Ｓ１０３の処理の後、コピーの中止の指示を操作部１１を介して受け付けたか否かを判断する（Ｓ１０４）。
【００７１】
画像処理手段１８ｂは、コピーの中止の指示を受け付けたとＳ１０４において判断されると、図２に示す動作を終了する。
【００７２】
指示受付手段１８ｄは、コピーの中止の指示を受け付けていないとＳ１０４において判断すると、読み取り結果表示画面２０によって示されている原稿の種類の変更の指示を操作部１１を介して受け付けたか否かを判断する（Ｓ１０５）。利用者は、読み取り結果表示画面２０によって示されている原稿の種類の変更を、操作部１１を介して、原稿の１枚単位で指示することが可能である。
【００７３】
種類判定手段１８ａは、原稿の種類の変更の指示を受け付けたとＳ１０５において判断されると、現在の認識中の原稿の種類を、指示受付手段１８ｄによって受け付けられた指示に応じて変更する（Ｓ１０６）。
【００７４】
次いで、結果表示手段１８ｃは、Ｓ１０６において種類判定手段１８ａによって新たに認識された原稿の種類に基づいた読み取り結果表示画面２０を表示部１２に表示させる（Ｓ１０３）。
【００７５】
指示受付手段１８ｄは、原稿の種類の変更の指示を受け付けていないとＳ１０５において判断すると、コピーの実行の指示を操作部１１を介して受け付けたか否かを判断する（Ｓ１０７）。
【００７６】
指示受付手段１８ｄは、コピーの実行の指示を受け付けていないとＳ１０７において判断すると、Ｓ１０４の処理を実行する。
【００７７】
画像処理手段１８ｂは、コピーの実行の指示を受け付けたとＳ１０７において判断されると、種類判定手段１８ａによって現在認識中の原稿の種類に応じてコピーを実行する（Ｓ１０８）。なお、画像処理手段１８ｂが原稿の種類に応じてどのような処理を実行するかは、設定次第である。
【００７８】
例えば、画像処理手段１８ｂは、両面通常原稿に対して、記録媒体の両面へのコピーを実行することによって、原稿と同一の仕上がりを実現しても良い。また、画像処理手段１８ｂは、両面通常原稿の表面の画像と、裏面の画像とを別々の記録媒体の片面へのコピーを実行しても良い。また、画像処理手段１８ｂは、両面通常原稿の表面の画像と、裏面の画像とを記録媒体の片面へ集約したコピーを実行しても良い。
【００７９】
例えば、画像処理手段１８ｂは、表面通常裏面白紙原稿の表面の画像を記録媒体の表面にコピーすることによって、原稿と同一の仕上がりを実現しても良い。
【００８０】
例えば、画像処理手段１８ｂは、表面白紙裏面通常原稿の裏面の画像を記録媒体の裏面にコピーすることによって、原稿と同一の仕上がりを実現しても良い。また、画像処理手段１８ｂは、表面白紙裏面通常原稿の裏面の画像を記録媒体の表面にコピーしても良い。
【００８１】
例えば、画像処理手段１８ｂは、表面通常裏面裏紙原稿の表面の画像および裏面の画像のうち表面の画像のみを記録媒体にコピーしても良い。
【００８２】
例えば、画像処理手段１８ｂは、表面裏紙裏面通常原稿の表面の画像および裏面の画像のうち裏面の画像のみを記録媒体にコピーしても良い。
【００８３】
例えば、画像処理手段１８ｂは、両面白紙原稿、表面裏紙裏面白紙原稿、表面白紙裏面裏紙原稿および両面裏紙原稿に対しては、コピーを実行しなくても良い。
【００８４】
画像処理手段１８ｂは、Ｓ１０８の処理の後、図２に示す動作を終了する。
【００８５】
以上に説明したように、ＭＦＰ１０は、スキャナー１３によって画像が読み取られた原稿の枚数と、スキャナー１３によって読み取られた画像に基づいて判定した原稿の種類とを、図４に示すように原稿の種類の切り替わりで区別して表示部１２に表示させる（Ｓ１０３）ので、原稿の種類が誤判定されたか否かを利用者に認識させることができる。そして、ＭＦＰ１０は、スキャナー１３によって画像が読み取られた原稿の枚数と、スキャナー１３によって読み取られた画像に基づいて判定した原稿の種類とを、原稿の種類に応じた画像の処理（Ｓ１０８）の前に表示部１２に表示させる（Ｓ１０３）ので、スキャナー１３によって原稿から読み取られた画像に対して誤った処理が行われる可能性を低減することができる。
【００８６】
ＭＦＰ１０は、種類の変更の指示が受け付けられた場合（Ｓ１０５でＹＥＳ）に、スキャナー１３によって読み取られた画像を、Ｓ１０５において受け付けられた指示に応じた種類に応じて処理する（Ｓ１０８）。したがって、ＭＦＰ１０は、原稿の種類が誤判定された場合に、スキャナー１３によって原稿から読み取られた画像に対して利用者による原稿の種類の訂正に応じた適切な処理を実行することができる。
【００８７】
ＭＦＰ１０は、図４に示すように、スキャナー１３によって読み取られた画像のプレビュー３３、４３および５３を原稿の種類の切り替わりで区別して表示部１２に表示させるので、原稿の種類が誤判定されたか否かを利用者に更に明確に認識させることができる。したがって、ＭＦＰ１０は、スキャナー１３によって原稿から読み取られた画像に対して誤った処理が行われる可能性を更に低減することができる。
【００８８】
なお、ＭＦＰ１０は、図５に示すように、読み取り結果表示画面２０において、スキャナー１３によって読み取られた画像のプレビューを表示部１２に表示させなくても良い。図５に示す読み取り結果表示画面２０においても、スキャナー１３によって画像が読み取られた原稿の枚数が、原稿の種類の切り替わりで区別して表示部１２に表示されている。したがって、ＭＦＰ１０は、利用者が複数枚の原稿における原稿の種類の順番を把握している場合に、原稿の種類が誤判定されたか否かを利用者に認識させることができる。
【００８９】
また、ＭＦＰ１０は、図６に示すように、読み取り結果表示画面２０において、領域３０、４０、５０それぞれに含まれる原稿の枚数を示すテキスト３６、４６、５６（図４参照。）を表示部１２に表示させなくても良い。図６に示す読み取り結果表示画面２０においても、スキャナー１３によって画像が読み取られた原稿の枚数が、プレビュー３３、４３および５３によって、原稿の種類の切り替わりで区別して表示部１２に表示されている。
【００９０】
ＭＦＰ１０は、図４に示すプレビュー４３のように、両面のうち情報を含まない面のプレビューを表示部１２に表示させないので、利用者によるプレビューの確認を容易化することができる。なお、ＭＦＰ１０は、図４に示すプレビュー５３における特定の情報を含む面のように、両面のうち情報を含まない面のプレビューを表示部１２に表示させても良い。
【００９１】
ＭＦＰ１０は、図４に示すプレビュー５３のように、両面のうち特定の情報を含む面のプレビューを表示部１２に表示させている。しかしながら、ＭＦＰ１０は、図４に示すプレビュー４３における情報を含まない面のように、両面のうち特定の情報を含む面のプレビューを表示部１２に表示させなくても良い。ＭＦＰ１０は、両面のうち特定の情報を含む面のプレビューを表示部１２に表示させない場合、利用者によるプレビューの確認を容易化することができる。
【００９２】
ＭＦＰ１０は、本実施の形態において、原稿の種類として、両面通常原稿、表面通常裏面白紙原稿、表面白紙裏面通常原稿、表面通常裏面裏紙原稿、表面裏紙裏面通常原稿、両面白紙原稿、表面裏紙裏面白紙原稿、表面白紙裏面裏紙原稿および両面裏紙原稿という９種類を区別して判定するが、実行する画像の処理に必要な程度で原稿の種類を判定すれば良い。例えば、ＭＦＰ１０は、実行する画像の処理において両面白紙原稿、表面裏紙裏面白紙原稿、表面白紙裏面裏紙原稿および両面裏紙原稿を互いに区別しない場合には、両面白紙原稿、表面裏紙裏面白紙原稿、表面白紙裏面裏紙原稿および両面裏紙原稿を互いに区別して判定しなくても良い。
【００９３】
ＭＦＰ１０は、本実施の形態において、読み取り結果表示画面２０が表示部１２に表示された後に、コピーの中止の指示を受け付けたり（Ｓ１０４）、原稿の種類の変更の指示を受け付けたり（Ｓ１０５）することができる。しかしながら、ＭＦＰ１０は、読み取り結果表示画面２０が表示部１２に表示された後に、他の指示を受け付けても良い。例えば、ＭＦＰ１０は、読み取り結果表示画面２０が表示部１２に表示された後に、複数枚の原稿のうち、利用者によって指示された原稿の画像を削除しても良い。
【００９４】
ＭＦＰ１０は、本実施の形態において、原稿の種類に応じた画像の処理として、コピーを実行する。しかしながら、ＭＦＰ１０は、原稿の種類に応じた画像の処理として、コピー以外の処理を実行しても良い。例えば、ＭＦＰ１０は、原稿の種類に応じた画像の処理として、スキャナー１３によって原稿から読み取られた画像をファックス通信部１５によって送信する「ファックス送信」を実行しても良いし、スキャナー１３によって原稿から読み取られた画像を記憶部１７に記憶したりネットワーク通信部１６を介して外部の装置に送信したりする「スキャン」を実行しても良い。
【００９５】
本発明の画像形成装置は、本実施の形態においてＭＦＰであるが、読取デバイスによって読み取られた画像を原稿の種類に応じて処理する画像形成装置であれば、コピー専用機、ＦＡＸ専用機、スキャナー専用機など、ＭＦＰ以外の画像形成装置であっても良い。
【符号の説明】
【００９６】
１０  ＭＦＰ（画像形成装置）
１２  表示部（表示デバイス）
１３  スキャナー（読取デバイス）
１７ａ  画像処理プログラム
１８ａ  種類判定手段
１８ｂ  画像処理手段
１８ｃ  結果表示手段
１８ｄ  指示受付手段
３３、４３、５３  プレビュー
【図１】
2016086386.tif 000003
【図２】
2016086386.tif 000004
【図３】
2016086386.tif 000005
【図４】
2016086386.tif 000006
【図５】
2016086386.tif 000007
【図６】
2016086386.tif 000008